(57)【要約】【課題】一連の処理群から成る処理フローを扱い易くすることを課題とする。【解決手段】ＭＲＩ装置１００の再構成部１３は、処理を実行する順序と実行結果とに相関がある一連の処理群の該順序が設定された再構成フローに従って、被検体Ｐが撮像された撮像データの再構成処理を実行する。また、再構成部１３は、処理群に含まれる所定の処理が実行される毎に、該処理の実行結果を記憶部に格納する。そして、再構成部１３は、所定の指示を受け付けると、該指示にて指定された処理の実行結果を記憶部から取得し、取得した実行結果に対して該指示を実行する。【選択図】        図２
2010142286.tif 000002
【特許請求の範囲】
【請求項１】
処理を実行する順序と実行結果とに相関がある一連の処理群の該順序が設定された処理フローに従って、被検体が撮像されたデータの処理を実行する処理実行手段と、
前記処理実行手段によって前記処理群に含まれる所定の処理が実行される毎に、該処理の実行結果データを記憶手段に格納する実行結果格納手段と、
所定の指示を受け付けると、該指示にて指定された処理の実行結果データを前記記憶手段から取得し、取得した実行結果データに対して該指示を実行する指示実行手段と
を備えたことを特徴とする磁気共鳴イメージング装置。
【請求項２】
前記指示実行手段は、所定の処理の実行結果を出力手段に表示することを指示する前記指示を受け付けると、前記記憶手段から取得した実行結果データを出力手段に表示することを特徴とする請求項１に記載の磁気共鳴イメージング装置。
【請求項３】
前記指示実行手段は、所定の処理の実行結果を所定の外部装置に転送することを指示する前記指示を受け付けると、前記記憶手段から取得した実行結果データを該指示にて指定された外部装置に転送し、所定の外部記憶媒体に記憶させることを指示する前記指示を受け付けると、前記記憶手段から取得した実行結果データを該指示にて指定された外部記憶媒体に記憶させることを特徴とする請求項１に記載の磁気共鳴イメージング装置。
【請求項４】
前記処理フローに設定された一連の処理群の内容および順序を出力手段に表示するとともに該設定の変更指示を受け付ける受付画面を出力手段に表示し、変更指示を入力手段にて受け付けると、受け付けた該変更指示を該処理フローの設定に反映するとともに反映後の処理フローの設定を該出力手段に表示する設定受付手段をさらに備えたことを特徴とする請求項１〜３のいずれか一つに記載の磁気共鳴イメージング装置。
【請求項５】
被検体が撮像されたデータを受け付けるデータ受付手段と、
処理を実行する順序と実行結果とに相関がある一連の処理群の該順序が設定された処理フローに従って、前記データ受付手段によって受付けられたデータの処理を実行する処理実行手段と、
前記処理実行手段によって前記処理群に含まれる所定の処理が実行される毎に、該処理の実行結果データを記憶手段に格納する実行結果格納手段と、
所定の指示を受け付けると、該指示にて指定された処理の実行結果データを前記記憶手段から取得し、取得した実行結果データに対して該指示を実行する指示実行手段と
を備えたことを特徴とする画像処理装置。
【発明の詳細な説明】
【技術分野】
【０００１】
本発明は、磁気共鳴イメージング装置および画像処理装置に関する。
【背景技術】
【０００２】
磁気共鳴イメージング装置（以下、ＭＲＩ（Magnetic  Resonance  Imaging）装置）等の画像撮像装置は、被検体を撮像して生データを取得し、取得した生データに対して複数の処理を実行することで、画像を再構成する。例えば、ＭＲＩ装置は、静磁場中に置かれた被検体の原子核スピンをそのラーモア周波数の高周波信号で磁気的に励起し、励起に伴って発生するＭＲ信号を取得する。そして、ＭＲＩ装置は、取得したＭＲ信号をデジタル信号に変換した生データに対して、高速フーリエ変換（以下、ＦＦＴ（Fast  Fourier  Transform））処理や位相補正処理、フィルタ処理等の一連の処理群を所定の順序で実行することで、画像を再構成する。
【０００３】
ここで、生データに対して行われるＦＦＴ処理や位相補正処理、フィルタ処理等の一連の処理群は、その内容や処理を実行する順序によって異なる画像を再構成する。このため、一般的には、撮像手法に応じて処理群の内容や順序が選択され、再構成フローとしてＭＲＩ装置に設定される。なお、撮像手法は磁場の励起手法により各種存在することから、撮像手法に応じて設定される再構成フローも各種存在し得ることになる。
【０００４】
ところで、同じ撮像手法によって取得された生データであっても、再構成フローを変更すれば異なる画像が再構成されるので、従来、開発者等は、再構成フローを変更することで、新規の撮像手法を開発したり既存の撮像手法を改善したりしている。例えば特許文献１には、再構成フローに含まれる一部の処理を変更する技術が開示されている。
【０００５】
【特許文献１】特開２００７−１３５６９３号公報
【発明の開示】
【発明が解決しようとする課題】
【０００６】
ところで、上記した従来の技術では、一連の処理群から成る処理フローを扱いにくいという課題があった。上記したように、例えば、ＦＦＴ処理や位相補正処理、フィルタ処理等の一連の処理群は、その内容や処理を実行する順序によって異なる画像を再構成する。このため、開発者等は、処理の内容や順序を変更して再構成フローを変更するが、処理として何を選択すべきか、あるいは順序をどのように設計すべきかなどについて、最終画像を検証しながら試行錯誤しなければならなかった。
【０００７】
なお、上記した課題は再構成フローの場合に限られず、例えば再構成された画像に対して行なわれる後処理フローについても同様に課題となる。すなわち、再構成された画像に対しては、歪み補正処理や位置補正処理などの一連の処理群が実行され、適宜データが選択されてＣＤに記録されたりネットワークを介して転送されたりするが、利用者にとって扱いにくいものとなっていた。
【０００８】
そこで、本発明は、上記した従来の技術の課題を解決するためになされたものであり、一連の処理群から成る処理フローを扱い易くすることが可能な磁気共鳴イメージング装置および画像処理装置を提供することを目的とする。
【課題を解決するための手段】
【０００９】
上述した課題を解決し、目的を達成するため、請求項１に係る発明は、磁気共鳴イメージング装置が、処理を実行する順序と実行結果とに相関がある一連の処理群の該順序が設定された処理フローに従って、被検体が撮像されたデータの処理を実行する処理実行手段と、前記処理実行手段によって前記処理群に含まれる所定の処理が実行される毎に、該処理の実行結果データを記憶手段に格納する実行結果格納手段と、所定の指示を受け付けると、該指示にて指定された処理の実行結果データを前記記憶手段から取得し、取得した実行結果データに対して該指示を実行する指示実行手段とを備えたことを特徴とする。
【００１０】
請求項５に係る発明は、画像処理装置が、被検体が撮像されたデータを受け付けるデータ受付手段と、処理を実行する順序と実行結果とに相関がある一連の処理群の該順序が設定された処理フローに従って、前記データ受付手段によって受付けられたデータの処理を実行する処理実行手段と、前記処理実行手段によって前記処理群に含まれる所定の処理が実行される毎に、該処理の実行結果データを記憶手段に格納する実行結果格納手段と、所定の指示を受け付けると、該指示にて指定された処理の実行結果データを前記記憶手段から取得し、取得した実行結果データに対して該指示を実行する指示実行手段とを備えたことを特徴とする。
【発明の効果】
【００１１】
請求項１または５の発明によれば、一連の処理群から成る処理フローを扱い易くすることが可能になる。
【発明を実施するための最良の形態】
【００１２】
以下に添付図面を参照して本発明に係る磁気共鳴イメージング装置および画像処理装置の実施例を詳細に説明する。以下では、実施例１に係るＭＲＩ装置の概要、構成、処理手順および効果を順に説明し、その後、他の実施例を説明する。
【実施例１】
【００１３】
［実施例１に係るＭＲＩ装置の概要］
まず、図１を用いて、実施例１に係るＭＲＩ装置の概要を説明する。図１は、実施例１に係るＭＲＩ装置の概要を説明するための図である。
【００１４】
図１に示すように、実施例１に係るＭＲＩ装置には、被検体が撮像された生データに対して再構成処理を実行する再構成フローとして、フィルタＡ処理、ＦＦＴ処理、位相補正処理およびＦＦＴ処理を内容とする一連の処理群が、該順序で設定されている。ここで、再構成フローとは、処理を実行する順序と実行結果とに相関がある一連の処理群である。すなわち、処理の内容や順序を変更することで再構成フローを変更すれば、異なる画像が再構成されるものである。
【００１５】
かかる再構成フローが設定されたＭＲＩ装置は、再構成フローに従って生データの再構成処理を実行する（図１の（１）を参照）。すなわち、ＭＲＩ装置は、まず、生データを読み込み、次に、読みこんだ生データに対してフィルタＡ処理を実行する。そして、ＭＲＩ装置は、フィルタＡ処理の実行結果に対してＦＦＴ処理を実行し、ＦＦＴ処理の実行結果に対して位相補正処理を実行し、位相補正処理の実行結果に対してＦＦＴ処理を実行する。
【００１６】
この時、実施例１に係るＭＲＩ装置は、再構成フローに含まれる処理が実行される毎に、該処理の実行結果を実行結果記憶部に格納する（図１の（２）を参照）。すなわち、ＭＲＩ装置は、フィルタＡ処理が実行されると、フィルタＡ処理の実行結果を実行結果記憶部に格納する。同様に、ＭＲＩ装置は、ＦＦＴ処理が実行されると、ＦＦＴ処理の実行結果を実行結果記憶部に格納し、位相補正処理が実行されると、位相補正処理の実行結果を実行結果記憶部に格納し、ＦＦＴ処理が実行されると、ＦＦＴ処理の実行結果を実行結果記憶部に格納する。
【００１７】
そして、実施例１に係るＭＲＩ装置は、所定の処理の実行結果をモニタに表示することを指示する指示を受け付けると、指示にて指定された処理の実行結果を実行結果記憶部から取得し、取得した実行結果をモニタに表示する（図１の（３）を参照）。例えば、ＭＲＩ装置は、ＦＦＴ処理（１回目）の実行結果をモニタに表示することを指示する指示を受け付けると、フィルタＡ処理の実行結果とＦＦＴ処理（１回目）の実行結果とを実行結果記憶部から取得する。そして、ＭＲＩ装置は、フィルタＡ処理の実行結果を「ＦＦＴ  ｂｅｆｏｒｅ」としてモニタに表示し、ＦＦＴ処理（１回目）の実行結果を「ＦＦＴ  ａｆｔｅｒ」としてモニタに表示する。なお、ＭＲＩ装置は、ＦＦＴ処理（２回目）の実行結果（最終画像）を「ｓｌｉｃｅ  ３／１０」としてモニタに表示する。
【００１８】
このようなことから、実施例１に係るＭＲＩ装置によれば、一連の処理群から成る再構成フローを扱い易くすることが可能になる。すなわち、開発者等は、処理の内容や順序を変更して再構成フローを変更するが、従来、再構成処理の実行結果として最終画像がモニタに表示されるにすぎなかったので、処理を実行する順序と実行結果との相関が明らかとならず、処理として何を選択すべきか、あるいは順序をどのように設計すべきかなどについて、試行錯誤しなければならなかった。
【００１９】
これに対し、実施例１に係るＭＲＩ装置によれば、一連の処理群に含まれる処理が実行される毎に該処理の実行結果が記憶部に格納され、任意の処理についての実行結果がモニタに表示されるので、開発者等は、処理を実行する順序と実行結果との相関関係を把握することができ、処理として何を選択すべきか、あるいは順序をどのように設計すべきかなどについて、円滑に決定することが可能になる。
【００２０】
例えば、実施例１に係るＭＲＩ装置によれば、ＦＦＴ処理（１回目）の前後の実行結果を検証することができ、フィルタＡ処理とＦＦＴ処理（１回目）との相関や、ＦＦＴ処理（１回目）と最終画像との相関などを把握することができるので、開発者等は、再構成フローの変更を円滑に決定することが可能になる。
【００２１】
なお、ＭＲＩ装置は、ＦＦＴ処理（１回目）の実行結果をモニタに表示することを指示する指示を受け付けた場合に、ＦＦＴ処理（１回目）の実行結果のみを実行結果記憶部から取得し、ＦＦＴ処理（１回目）の実行結果のみをモニタに表示してもよい。指示に対してどのように実行結果をモニタに出力するかについては、任意に変更することができる。
【００２２】
［実施例１に係るＭＲＩ装置の構成］
次に、図２〜図４を用いて、実施例１に係るＭＲＩ装置の構成を説明する。図２は、ＭＲＩ装置の構成を示すブロック図である。
【００２３】
図２に示すように、実施例１に係るＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０、収集制御部１１、生データ入力部１２、再構成部１３および生データ記憶部１４を備える。
【００２４】
静磁場磁石１は、中空の円筒形状に形成された磁石であり、内部の空間に一様な静磁場を発生する。例えば、静磁場磁石１は、永久磁石、超伝導磁石などで実現される。
【００２５】
傾斜磁場コイル２は、中空の円筒形状に形成されたコイルであり、静磁場磁石１の内側に配置される。具体的には、傾斜磁場コイル２は、互いに直交するＸ、Ｙ、Ｚの各軸に対応する３つのコイルが組み合わされて形成されており、これら３つのコイルは、傾斜磁場電源３から個別に電流供給を受けて、Ｘ、Ｙ、Ｚの各軸に沿って磁場強度が変化する傾斜磁場を発生させる。なお、Ｚ軸方向は、静磁場と同方向とする。傾斜磁場電源３は、傾斜磁場コイル２に電流を供給する装置である。
【００２６】
ここで、傾斜磁場コイル２によって発生するＸ、Ｙ、Ｚ各軸の傾斜磁場は、例えば、スライス選択用傾斜磁場Ｇｓ、位相エンコード用傾斜磁場Ｇｅおよびリードアウト用傾斜磁場Ｇｒにそれぞれ対応している。スライス選択用傾斜磁場Ｇｓは、任意に撮像断面を決めるために利用される。位相エンコード用傾斜磁場Ｇｅは、空間的位置に応じて磁気共鳴信号の位相を変化させるために利用される。リードアウト用傾斜磁場Ｇｒは、空間的位置に応じて磁気共鳴信号の周波数を変化させるために利用される。
【００２７】
寝台４は、被検体Ｐが載置される天板４ａを備えた装置であり、寝台制御部５による制御のもと、被検体Ｐが載置された状態で、天板４ａを傾斜磁場コイル２の空洞（撮像口）内へ挿入する。通常、寝台４は、長手方向が静磁場磁石１の中心軸と平行になるように設置される。寝台制御部５は、寝台４を制御する装置であり、寝台４を駆動して、天板４ａを長手方向および上下方向へ移動する。
【００２８】
送信ＲＦコイル６は、傾斜磁場コイル２の内側に配置されたコイルであり、送信部７から高周波パルスの供給を受けて高周波磁場を発生する。送信部７は、ラーモア周波数に対応する高周波パルスを送信ＲＦコイル６に送信する装置である。
【００２９】
受信ＲＦコイル８は、傾斜磁場コイル２の内側に配置されたコイルであり、上記の高周波磁場の影響によって被検体Ｐから放射される磁気共鳴信号を受信する。受信ＲＦコイル８は、磁気共鳴信号を受信すると、受信した磁気共鳴信号を受信部９へ出力する。
【００３０】
受信部９は、受信ＲＦコイル８から出力される磁気共鳴信号に基づいて生データを生成する。具体的には、受信部９は、受信ＲＦコイル８から出力される磁気共鳴信号をデジタル変換することによって生データを生成する。生データには、スライス選択用傾斜磁場Ｇｓ、位相エンコード用傾斜磁場Ｇｅおよびリードアウト用傾斜磁場Ｇｒによって、ＰＥ方向、ＲＯ方向、ＳＥ方向の空間周波数の情報が対応付けられている。そして、生データを生成すると、受信部９は、生成した生データをシーケンス制御部１０へ送信する。
【００３１】
シーケンス制御部１０は、収集制御部１１から送信されるシーケンス情報に基づいて、傾斜磁場電源３、送信部７および受信部９を駆動することによって、被検体Ｐのスキャンを行う。ここで、シーケンス情報とは、傾斜磁場電源３が傾斜磁場コイル２に供給する電源の強さや電源を供給するタイミング、送信部７がＲＦコイル６に送信するＲＦ信号の強さやＲＦ信号を送信するタイミング、受信部９が磁気共鳴信号を検出するタイミングなど、スキャンを行うための手順を定義した情報である。
【００３２】
なお、シーケンス制御部１０は、傾斜磁場電源３、送信部７および受信部９を駆動して被検体Ｐをスキャンした結果、受信部９から生データが送信されると、送信された生データを生データ入力部１２へ転送する。
【００３３】
収集制御部１１は、ＭＲＩ装置１００のスキャンを制御する。具体的には、収集制御部１１は、操作者から入力される撮像条件に基づいてシーケンス情報を生成し、生成したシーケンス情報をシーケンス制御部１０に送信することによってスキャンを制御する。
【００３４】
生データ入力部１２は、シーケンス制御部１０から生データを受信する。具体的には、生データ入力部１２は、生データを受信すると、各生データを被検体Ｐごとに生データ記憶部１４に格納する。また、生データ入力部１２は、再構成処理に必要な生データを生データ記憶部１４に格納した旨を再構成部１３に通知する。
【００３５】
再構成部１３は、生データに対して再構成処理を実行し、画像を再構成する。具体的には、再構成部１３は、再構成処理に必要な生データを格納した旨を生データ入力部１２から通知されると、生データ記憶部１４に記憶されている生データを用いて再構成処理を実行する。また、再構成部１３は、一度再構成処理を実行した生データに対して、異なる再構成フローに従った再構成処理（再再構成処理）を実行する。
【００３６】
生データ記憶部１４は、生データを記憶する。具体的には、生データ記憶部１４は、生データ入力部１２によって格納された生データを記憶する。生データ記憶部１４が記憶する生データは、再構成部１３による処理に利用される。
【００３７】
以上、実施例１に係るＭＲＩ装置１００の構成を説明した。次に、図３を用いて、再構成部１３の構成を詳細に説明する。図３は、再構成部の構成を示すブロック図である。
【００３８】
再構成部１３は、図３に示すように、再構成処理モジュール群記憶部１３ａ、再構成処理モジュール管理部１３ｂ、再構成フローリスト記憶部１３ｃ、再構成フローリスト管理部１３ｄ、再構成フロー設定部１３ｅ、イベントジェネレータ１３ｆ、スケジューラ１３ｇ、再構成処理実行部１３ｈ、実行結果記憶部１３ｉ、表示部１３ｊおよび入力部１３ｋを備える。
【００３９】
再構成処理モジュール群記憶部１３ａは、各々独立したプログラムモジュールとして、再構成処理のプログラムモジュールを記憶する。具体的には、再構成処理モジュール群記憶部１３ａは、再構成処理モジュール管理部１３ｂと接続され、再構成処理モジュール群記憶部１３ａが記憶するプログラムモジュール群は、再構成処理モジュール管理部１３ｂによる処理に利用される。
【００４０】
例えば、再構成処理モジュール群記憶部１３ａは、図４に示すようなプログラムモジュール群を記憶する。図４は、再構成処理モジュール群記憶部を説明するための図である。図４に示すように、再構成処理モジュール群記憶部１３ａは、演算処理用モジュール群、変換処理用モジュール群、入出力用モジュール群に分類されるプログラムモジュール群を記憶する。なお、演算処理用モジュール群は、データの値が変化するだけで、データの形やサイズは変化しない処理を示す。変換処理用モジュール群は、データの形やサイズの変化も伴う処理を示す。入出力用モジュール群は、生データ記憶部１４などからのデータを再構成処理用メモリに入力したり、再構成処理によって作成された画像を実行結果記憶部１３ｉに出力したりする処理を示す。
【００４１】
再構成処理モジュール管理部１３ｂは、再構成処理モジュール群を管理する。具体的には、再構成処理モジュール管理部１３ｂは、再構成処理モジュール群記憶部１３ａと再構成フロー設定部１３ｅと接続され、再構成フロー設定部１３ｅによる指示に従って、再構成処理モジュール群記憶部１３ａから再構成処理モジュールを取得する。また、再構成処理モジュール管理部１３ｂは、再構成処理モジュール群記憶部１３ａに記憶されている再構成処理モジュール群の追加や削除を行う。
【００４２】
再構成フローリスト記憶部１３ｃは、再構成フローのリストを記憶する。具体的には、再構成フローリスト記憶部１３ｃは、再構成フローリスト管理部１３ｄと接続され、一つの撮像方法に対応づけて一つまたは複数の再構成フローを記憶する。また、再構成フローリスト記憶部１３ｃは、デフォルトの再構成フローが指定されている場合には、どの再構成フローがデフォルトとして指定されているかを示す情報を記憶する。また、再構成フローリスト記憶部１３ｃは、複数の撮像方法に関して再構成フローを記憶する。また、再構成フローリスト記憶部１３ｃが記憶する再構成フローのリストは、再構成フローリスト管理部１３ｄによる処理に利用される。
【００４３】
再構成フローリスト管理部１３ｄは、再構成フローのリストを管理する。具体的には、再構成フローリスト管理部１３ｄは、再構成フローリスト記憶部１３ｃと再構成フロー設定部１３ｅと接続され、再構成フロー設定部１３ｅによる指示に従って、再構成フローリスト記憶部１３ｃに記憶されている再構成フローにプログラムモジュールを追加したり、再構成フローからプログラムモジュールを削除したりする。また、再構成フローリスト管理部１３ｄは、再構成フロー設定部１３ｅによる指示に従って、プログラムモジュールの一部パラメータの変更を行う。
【００４４】
再構成フロー設定部１３ｅは、再構成フローの設定を行う。具体的には、再構成フロー設定部１３ｅは、再構成処理モジュール管理部１３ｂ、再構成フローリスト管理部１３ｄ、スケジューラ１３ｇ、表示部１３ｊおよび入力部１３ｋと接続され、『再構成処理の実行』、『再構成フロー編集』、『再再構成処理の実行』を制御する。
【００４５】
まず、再構成フロー設定部１３ｅは、『再構成処理の実行』の際、所定の生データについて再構成処理を実行する旨をスケジューラ１３ｇから通知されると、該生データの撮像方法に対応する再構成フローを、再構成フローリスト管理部１３ｄを介して再構成フローリスト記憶部１３ｃから取得し、取得した再構成フローをスケジューラ１３ｇに送信する。
【００４６】
また、再構成フロー設定部１３ｅは、『再構成フロー編集』または『再再構成処理の実行』の際、入力部１３ｋから再構成フローの閲覧指示を受け付けると、受け付けた閲覧指示にて指定された再構成フローを、再構成フローリスト管理部１３ｄを介して再構成フローリスト記憶部１３ｃから取得し、取得した再構成フローを表示部１３ｊに表示する。
【００４７】
また、再構成フロー設定部１３ｅは、『再構成フロー編集』の際、入力部１３ｋから再構成フローの編集指示を受け付けると、受け付けた編集指示を、再構成フローリスト管理部１３ｄを介して再構成フローリスト記憶部１３ｃに記憶されている再構成フローに反映するとともに反映後の再構成フローを表示部１３ｊに表示する。例えば、編集指示が、プログラムモジュールの追加指示である場合、再構成フロー設定部１３ｅは、再構成処理モジュール管理部１３ｂを介して再構成処理モジュール群記憶部１３ａから該プログラムモジュールを取得する。そして、再構成フロー設定部１３ｅは、取得したプログラムモジュールを、再構成フローリスト管理部１３ｄを介して再構成フローリスト記憶部１３ｃに記憶されている再構成フローに反映するとともに、反映後の再構成フローを表示部１３ｊに表示する。
【００４８】
また、例えば、編集指示が、一部パラメータの変更である場合、再構成フロー設定部１３ｅは、再構成フローリスト管理部１３ｄを介して再構成フローリスト記憶部１３ｃに記憶されている再構成フローに一部パラメータの変更を反映する。このように、再構成フロー設定部１３ｅは、再構成フローを視覚的に閲覧・編集できるＧＵＩエディターを実現する。
【００４９】
なお、再構成フロー設定部１３ｅは、再構成フローの中に入力用モジュールが一つもない場合には、エラーを表示する。また、変換処理用モジュールは再構成処理の核となる処理であるので、撮像方法によって必須モジュールや順序が決まっている。このため、再構成フロー設定部１３ｅは、変換処理用モジュールを削除したり順序を変更しようとする場合には、正常な再構成が行なわれない可能性がある旨の警告を表示する。なお、演算用処理は自由に追加、削除できる。
【００５０】
また、再構成フロー設定部１３ｅは、『再再構成処理の実行』の際、所定の生データについて所定の内容で再再構成処理を実行する旨を入力部１３ｋから受け付けると、対応する再構成フローを、再構成フローリスト管理部１３ｄを介して再構成フローリスト記憶部１３ｃから取得し、取得した再構成フローと指定された再再構成処理の内容とをスケジューラ１３ｇに送信する。
【００５１】
イベントジェネレータ１３ｆは、イベントを生成する。具体的には、イベントジェネレータ１３ｆは、生データ入力部１２とスケジューラ１３ｇと接続され、再構成処理に必要な生データを格納した旨を生データ入力部１２から通知されると、スケジューラ１３ｇに通知する。
【００５２】
スケジューラ１３ｇは、スケジュールを管理する。具体的には、スケジューラ１３ｇは、イベントジェネレータ１３ｆ、再構成フロー設定部１３ｅ、再構成処理実行部１３ｈおよび収集制御部１１と接続され、スキャンのスケジュールや再構成処理のスケジュールを管理する。
【００５３】
例えば、スケジューラ１３ｇは、再構成処理に必要な生データが生データ記憶部１４に格納された旨をイベントジェネレータ１３ｆから通知されると、再構成フロー設定部１３ｅに通知して、該生データの撮像方法に対応する再構成フローを再構成フロー設定部１３ｅから取得する。そして、スケジューラ１３ｇは、再構成処理実行部１３ｈを起動し、取得した再構成フローに従った再構成処理を再構成処理実行部１３ｈに実行させる。
【００５４】
また、例えば、スケジューラ１３ｇは、再構成フローと再再構成処理の内容とを再構成フロー設定部１３ｅから取得すると、再構成処理実行部１３ｈを起動し、取得した再構成フローと内容とに従った再再構成処理を再構成処理実行部１３ｈに実行させる。
【００５５】
再構成処理実行部１３ｈは、再構成処理および再再構成処理を実行する。具体的には、再構成処理実行部１３ｈは、スケジューラ１３ｇ、生データ記憶部１４、実行結果記憶部１３ｉおよび表示部１３ｊと接続される。再構成処理実行部１３ｈは、『再構成処理の実行』の際、スケジューラ１３ｇによって起動されると、スケジューラ１３ｇが再構成フロー設定部１３ｅから取得した再構成フローに従って再構成処理を実行し、実行結果を実行結果記憶部１３ｉに格納するとともに表示部１３ｉに表示する。
【００５６】
また、再構成処理実行部１３ｈは、『再再構成処理の実行』の際、スケジューラ１３ｇによって起動されると、スケジューラ１３ｇが再構成フロー設定部１３ｅから取得した再構成フローと再構成処理の内容とに従って再再構成処理を実行し、実行結果を実行結果記憶部１３ｉに格納するとともに表示部１３ｊに表示する。
【００５７】
この時、再構成処理実行部１３ｈは、再構成フローに含まれる所定の処理が実行される毎に、該処理の実行結果を実行結果記憶部１３ｉに格納する。また、再構成処理実行部１３ｈは、再再構成処理の内容として、所定の処理の実行結果をモニタに表示する指示を受け付けると、該指示にて指定された処理の実行結果を実行結果記憶部１３ｉから取得し、取得した実行結果を表示部１３ｊに表示する。
【００５８】
実行結果記憶部１３ｉは、再構成処理用メモリであり、実行結果を記憶する。具体的には、実行結果記憶部１３ｉは、再構成処理実行部１３ｈと表示部１３ｊと接続され、再構成処理実行部１３ｈによって所定の処理が実行される毎に該処理の実行結果を格納され、記憶する。また、実行結果記憶部１３ｉが記憶する実行結果は、再構成処理実行部１３ｈによって表示部１３ｊに表示される。
【００５９】
表示部１３ｊは、再構成処理や再再構成処理の実行画面や、再構成フローの編集画面を表示する。具体的には、表示部１３ｊは、再構成フロー設定部１３ｅ、再構成処理実行部１３ｈおよび実行結果記憶部１３ｉと接続され、液晶表示器などの表示デバイスで実現される。
【００６０】
入力部１３ｋは、閲覧指示、編集指示、再再構成処理実行指示などの各種指示や情報入力を受け付ける。入力部１３ｋは、マウスやトラックボールなどのポインティングデバイス、あるいはキーボードなどの入力デバイスで実現される。
【００６１】
［実施例１における再構成部による処理手順］
続いて、図５〜１３を用いて、実施例１における再構成部による処理手順を説明する。図５は、再構成フロー選択手順を示すフローチャートであり、図６は、再構成フロー選択画面を説明するための図である。また、図７は、再構成フロー編集手順を示すフローチャートであり、図８〜１０は、再構成フロー編集画面を説明するための図である。また、図１１は、再構成処理実行手順を示すフローチャートであり、図１２および１３は、再構成処理実行画面を説明するための図である。
【００６２】
なお、実施例１における再構成部による処理としては、主に『再構成処理の実行』、『再構成フロー編集』および『再再構成処理の実行』があるが、以下では、『再構成フロー編集』および『再再構成処理の実行』を説明する。
【００６３】
まず、図５に示すように、再構成部１３において、再構成フロー設定部１３ｅが、操作者による撮像データの選択を入力部１３ｋから受け付ける（ステップＳ１０１）。例えば、再構成フロー設定部１３ｅは、複数の撮像データ（例えば一度再構成処理が実行された最終画像など）を表示部１３ｊに表示し、複数の撮像データの内のいずれか一つを選択する指示を入力部１３ｋから受け付ける。なお、実施例１においては、一つの撮像データが選択されると、該撮像データに関連する撮像データ全て（例えば１シリーズ分の生データ）が選択されたものとして扱う。
【００６４】
次に、再構成フロー設定部１３ｅは、ステップＳ１０１にて選択された撮像データの撮像方法に対応する再構成フローリストを、再構成フローリスト管理部１３ｄを介して再構成フローリスト記憶部１３ｃから取得し、取得した再構成フローリストを表示部１３ｊに表示する（ステップＳ１０２）。例えば、図６に示すように、再構成フロー設定部１３ｅは、再構成フローリストとして、「リスト１」、「リスト２」および「リスト３」を表示部１３ｊに表示する。
【００６５】
続いて、再構成フロー設定部１３ｅは、デフォルトの再構成フローを表示する指示を入力部１３ｋから受け付けると、再構成フローリストの内、デフォルトの再構成フローを表示部１３ｊに表示する（ステップＳ１０３）。例えば、図６に示すように、再構成フロー設定部１３ｅは、再構成フロー選択画面に「デフォルト」のアイコンを表示している。操作者が該アイコンを入力部１３ｋを用いて押下すると、再構成フロー設定部１３ｅは、デフォルトの再構成フローリストが「リスト３」であることをチェックボックスで表示するとともに、「リスト３」の再構成フローを表示部１３ｊに表示する。
【００６６】
また、再構成フロー設定部１３ｅは、再構成フローを選択する指示を入力部１３ｋから受け付けると（ステップＳ１０４肯定）、再構成フローリストの内、選択された再構成フローを表示部１３ｊに表示する（ステップＳ１０５）。例えば、図６に示すように、操作者が「リスト３」のアイコンを入力部１３ｋを用いて押下すると、再構成フロー設定部１３ｅは、「リスト３」の再構成フローを表示部１３ｊに表示する。
【００６７】
ステップＳ１０４において再構成フローを選択する指示を受け付けなかった場合（ステップＳ１０４否定）や、ステップＳ１０５において選択された再構成フローを表示部１３ｊに表示した後、再構成フローを編集する編集指示を受け付けると（ステップＳ１０６肯定）、再構成フロー設定部１３ｅは、『再構成フロー編集』の制御に移行する（ステップＳ１０７）。例えば、図６に示すように、再構成フロー設定部１３ｅは、再構成フロー選択画面に「編集」のアイコンを表示している。操作者が該アイコンを入力部１３ｋを用いて押下すると、再構成フロー設定部１３ｅは、『再構成フロー編集』の制御に移行する。
【００６８】
一方、ステップＳ１０６において編集指示を受け付けなかった場合（ステップＳ１０６否定）や、ステップＳ１０７において再構成フローの編集が行われた後、再構成処理を実行する指示を受け付けると（ステップＳ１０８肯定）、再構成フロー設定部１３ｅは、『再再構成処理の実行』の制御に移行する（ステップＳ１０９）。例えば、図６に示すように、再構成フロー設定部１３ｅは、再構成フロー選択画面に「再構成」のアイコンを表示している。操作者が該アイコンを入力部１３ｋを用いて押下すると、再構成フロー設定部１３ｅは、『再再構成処理の実行』の制御に移行する。
【００６９】
次に、図７を用いて、図６のステップＳ１０６において編集指示が受け付けられたものとして、『再構成フロー編集』を説明する。
【００７０】
まず、図７に示すように、再構成フロー設定部１３ｅは、再構成フロー編集画面を表示部１３ｊに表示する（ステップＳ２０１）。例えば、再構成フロー設定部１３ｅは、図８〜図１０に示すような再構成フロー編集画面を表示部１３ｊに表示する。
【００７１】
そして、再構成フロー設定部１３ｅは、再構成フローやパラメータの編集指示を入力部１３ｋから受け付け、反映後の再構成フローを表示部１３ｊに表示する（ステップＳ２０２）。
【００７２】
続いて、再構成フロー設定部１３ｅは、編集の保存指示を受け付けると（ステップＳ２０３肯定）、再構成フローリスト記憶部１３ｃに記憶されている再構成フローに編集指示を反映する（ステップＳ２０４）。なお、実施例１における再構成フロー設定部１３ｅは、編集の保存指示を受け付けない場合には（ステップＳ２０３否定）、再構成フローリスト記憶部１３ｃに記憶されている再構成フローに編集指示を反映しない。
【００７３】
例えば、図８の（Ａ）に示すように、再構成フロー設定部１３ｅは、編集指示としてプログラムモジュールの追加や削除を受け付ける画面を表示部１３ｊに表示している。操作者が、表示部１３ｊに表示されている図８の（Ａ）の再構成フロー編集画面を見ながら、入力部１３ｋを用いて「位相補正」のアイコンをクリックで選択し、ドラッグ＆ドロップで、「生データ読込」のアイコンと「フィルタＡ」のアイコンとの間に移動したとする。すると、図８の（Ｂ）に示すように、再構成フロー設定部１３ｅは、「生データ読込」のアイコンと「フィルタＡ」のアイコンとの間に「位相補正」のアイコンが挿入された画面を表示する。
【００７４】
ここで、図８の（Ａ）に示すように、再構成フロー設定部１３ｅは、再構成フロー編集画面に「保存」のアイコンを表示している。操作者が該アイコンを入力部１３ｋを用いて押下すると、再構成フロー設定部１３ｅは、「位相補正」のプログラムモジュールが、「生データ読込」のプログラムモジュールと「フィルタＡ」のプログラムモジュールとの間に挿入されるように、再構成フローリスト記憶部１３ｃに記憶されている再構成フロー（図５のステップＳ１０４において選択されたもの）に反映する。
【００７５】
また、例えば、図９に示すように、再構成フロー設定部１３ｅは、編集指示として一部パラメータの変更を受け付ける画面を表示部１３ｊに表示している。操作者が、表示部１３ｊに表示されている図９の再構成フロー編集画面を見ながら、入力部１３ｋを用いて再構成フローの「ＦＦＴ」を選択したとすると、再構成フロー設定部１３ｅは、再構成フロー編集画面の「処理情報」にＦＦＴ処理のパラメータを変更するための画面を表示する。こうして、操作者は、入力部１３ｋを用いて、処理情報の［ＴＹＰＥ］、［ＤＩＲＥＣＴＩＯＮ］、［ＳＷＡＰＦＬＡＧ］を編集する。
【００７６】
ここで、図９に示すように、再構成フロー設定部１３ｅは、再構成フロー編集画面に「保存」のアイコンを表示している。操作者が該アイコンを入力部１３ｋを用いて押下すると、再構成フロー設定部１３ｅは、ＦＦＴ処理のパラメータ変更を再構成フローリスト記憶部１３ｃに記憶されている再構成フロー（図５のステップＳ１０４において選択されたもの）に反映する。
【００７７】
また、例えば、図１０に示すように、再構成フロー設定部１３ｅは、編集指示として実行対象となるスライスの変更を受け付ける画面を表示部１３ｊに表示している。操作者が、表示部１３ｊに表示されている図１０の再構成フロー編集画面を見ながら、入力部１３ｋを用いて再構成フローの「ｓｌｉｃｅ」を選択したとすると、再構成フロー設定部１３ｅは、再構成フロー編集画面の「処理情報」に「ｓｌｉｃｅ」のパラメータを変更するための画面を表示する。こうして、操作者は、入力部１３ｋを用いて、処理情報の［Ｓｔａｒｔ］、［ｅｎｄ］を編集する。任意のスライスだけを再構成することもできるので、処理時間の短縮にも繋がる。
【００７８】
ここで、図１０に示すように、再構成フロー設定部１３ｅは、再構成フロー編集画面に「保存」のアイコンを表示している。操作者が該アイコンを入力部１３ｋを用いて押下すると、再構成フロー設定部１３ｅは、実行対象となるスライスの変更を再構成フローリスト記憶部１３ｃに記憶されている再構成フロー（図５のステップＳ１０４において選択されたもの）に反映する。
【００７９】
図７に戻り、再構成フロー設定部１３ｅは、デフォルトに設定する指示を受け付けると（ステップＳ２０５肯定）、再構成フローリスト記憶部１３ｃに記憶されている再構成フローにデフォルト設定指示を反映する（ステップＳ２０６）。なお、デフォルト設定指示を受け付けない場合には（ステップＳ２０５否定）、再構成フロー設定部１３ｅは、処理を終了する。
【００８０】
次に、図１１を用いて、図６のステップＳ１０８において実行指示が受け付けられたものとして、『再再構成処理の実行』を説明する。
【００８１】
まず、図１１に示すように、再構成フロー設定部１３ｅは、再構成処理実行画面を表示部１３ｊに表示する（ステップＳ３０１）。例えば、再構成フロー設定部１３ｅは、図１２に示すような再構成処理実行画面を表示部１３ｊに表示する。なお、図１２に示す「ｓｌｉｃｅ３／１０」は、この段階では表示されていない。
【００８２】
そして、再構成フロー設定部１３ｅは、再再構成処理の内容指示を入力部１３ｋから受け付ける。すなわち、再構成フロー設定部１３ｅは、再構成フローに含まれる処理毎に、実行（Ｄｏ）の「Ｏｎ」または「Ｏｆｆ」の設定を受け付け（ステップＳ３０２）、処理毎に、一時停止（Ｐａｕｓｅ）の「Ｏｎ」または「Ｏｆｆ」の設定を受け付ける（ステップＳ３０３）。
【００８３】
続いて、再構成部１３において、ステップＳ３０４からステップＳ３１１に示す再構成処理のループが繰り返される。具体的には、再構成フロー設定部１３ｅは、図５のステップＳ１０４において選択された再構成フローを再構成フローリスト記憶部１３ｃから取得し、取得した再構成フローと、ステップＳ３０２およびＳ３０３において指定された再再構成処理の内容とをスケジューラ１３ｇに送信する。スケジューラ１３ｇは、再構成フローと再再構成処理の内容とを再構成フロー設定部１３ｅから取得すると、再構成処理実行部１３ｈを起動し、取得した再構成フローと内容とに従った再再構成処理を再構成処理実行部１３ｈに実行させる。
【００８４】
すなわち、再構成処理実行部１３ｈは、図１１に示すように、再構成フローに含まれる処理毎に、実行（Ｄｏ）が「Ｏｎ」に設定されているか否かを判断し（ステップＳ３０５）、「Ｏｎ」に設定されている場合には（ステップＳ３０５肯定）、再構成処理を実行し、実行結果を実行結果記憶部１３ｉに格納する（ステップＳ３０６）。一方、「Ｏｎ」に設定されていない場合には（ステップＳ３０５否定）、再構成処理実行部１３ｈは、ステップＳ３０７へと移行する。
【００８５】
次に、再構成処理実行部１３ｈは、一時停止（Ｐａｕｓｅ）が「Ｏｎ」に設定されているか否かを判断し（ステップＳ３０７）、「Ｏｎ」に設定されている場合には（ステップＳ３０７肯定）、処理を一時停止して（ステップＳ３０８）、ステップＳ３０６において実行した処理の前後の画像を実行結果記憶部１３ｉから取得し、表示部１３ｊに表示する（ステップＳ３０９）。
【００８６】
その後、再構成処理実行部１３ｈは、処理を再開し（ステップＳ３１０）、ステップＳ３０４からステップＳ３１１に示す再構成処理のループを繰り返す。
【００８７】
例えば、図１２に示すように、「生データ読込」、「ＦＦＴ」、「位相補正」および「ＦＦＴ」の処理について実行が「Ｏｎ」に設定され、いずれの処理にも一時停止が設定されていなかったとする。すると、再構成処理実行部１３ｈは、「生データ読込」の処理を実行し、実行結果を実行結果記憶部１３ｉに格納し、次に、「ＦＦＴ」の処理を実行し、実行結果を実行結果記憶部１３ｉに格納する。続いて、再構成処理実行部１３ｈは、「位相補正」の処理を実行し、実行結果を実行結果記憶部１３ｉに格納し、次に、「ＦＦＴ」の処理を実行し、実行結果を実行結果記憶部１３ｉに格納する。なお、最終画像は生データ記憶部１４に生データと対応づけて格納してもよいし、他のデータベースに格納してもよい。
【００８８】
こうして、実行結果記憶部１３ｉは、「生データ読込」処理の実行結果、「ＦＦＴ」処理の実行結果、「位相補正」処理の実行結果、「ＦＦＴ」処理の実行結果を記憶する。なお、２回目の「ＦＦＴ」処理の実行結果は、最終画像と同じものになる。そして、再構成処理実行部１３ｈは、図１２に示すように、最終画像を表示部１３ｊに表示して、処理を終了する。
【００８９】
また、例えば、図１３に示すように、「生データ読込」、「フィルタＡ」、「ＦＦＴ」、「位相補正」および「ＦＦＴ」の処理について実行が「Ｏｎ」に設定され、「ＦＦＴ」の処理について一時停止が「Ｏｎ」に設定されていたとする。すると、再構成処理実行部１３ｈは、「生データ読込」の処理を実行し、実行結果を実行結果記憶部１３ｉに格納し、次に、「フィルタＡ」の処理を実行し、実行結果を実行結果記憶部１３ｉに格納し、「ＦＦＴ」の処理を実行し、実行結果を実行結果記憶部１３ｉに格納する。
【００９０】
ここで、「ＦＦＴ」の処理について一時停止が「Ｏｎ」に設定されているので、再構成処理実行部１３ｈは、「ＦＦＴ」の処理の前後の画像を実行結果記憶部１３ｉから取得し、表示部１３ｊに表示する。すなわち、再構成処理実行部１３ｈは、「ＦＦＴ」の処理の前の画像として、実行結果記憶部１３ｉから「フィルタＡ」の処理の実行結果を取得し、また、「ＦＦＴ」の処理の後の画像として、実行結果記憶部１３ｉから「ＦＦＴ」の処理の実行結果を取得する。そして、再構成処理実行部１３ｈは、図１３に示すように、「フィルタＡ」の処理の実行結果を「ＦＦＴ  ｂｅｆｏｒｅ」として表示し、「ＦＦＴ」の処理の実行結果を「ＦＦＴ  ａｆｔｅｒ」として表示する。
【００９１】
続いて、操作者から再開を指示されるなどして、再構成処理実行部１３ｈは、「位相補正」の処理を実行し、実行結果を実行結果記憶部１３ｉに格納し、次に、「ＦＦＴ」の処理を実行し、実行結果を実行結果記憶部１３ｉに格納する。
【００９２】
こうして、実行結果記憶部１３ｉは、「生データ読込」処理の実行結果、「フィルタＡ」処理の実行結果、「ＦＦＴ」処理の実行結果、「位相補正」処理の実行結果、「ＦＦＴ」処理の実行結果を記憶する。そして、再構成処理実行部１３ｈは、図１３に示すように、最終画像を表示部１３ｊに表示して、処理を終了する。
【００９３】
［実施例１の効果］
上記してきたように、実施例１に係るＭＲＩ装置１００によれば、再構成処理実行部１３ｈが、処理を実行する順序と実行結果とに相関がある一連の処理群の該順序が設定された再構成フローに従って、被検体が撮像されたデータの処理を実行する。また、再構成処理実行部１３ｈが、処理群に含まれる所定の処理が実行される毎に、該処理の実行結果を実行結果記憶部１３ｉに格納する。そして、再構成処理実行部１３ｈが、所定の処理の実行結果を表示部１３ｊに表示することを指示する指示を受け付けると、実行結果記憶部１３ｉから取得した実行結果を表示部１３ｊに表示する。
【００９４】
このようなことから、実施例１に係るＭＲＩ装置１００によれば、一連の処理群から成る再構成フローを扱い易くすることが可能になる。すなわち、開発者等は、処理の内容や順序を変更して再構成フローを変更するが、従来、再構成処理の実行結果として最終画像がモニタに表示されるにすぎなかったので、処理を実行する順序と実行結果との相関が明らかとならず、処理として何を選択すべきか、あるいは順序をどのように設計すべきかなどについて、試行錯誤しなければならなかった。
【００９５】
これに対し、実施例１に係るＭＲＩ装置１００によれば、開発者等は、処理を実行する順序と実行結果との相関関係を把握することができ、処理として何を選択すべきか、あるいは順序をどのように設計すべきかなどについて、円滑に決定することが可能になる。
【００９６】
また、実施例１に係るＭＲＩ装置１００によれば、再構成フロー設定部１３ｅが、再構成フローに設定された一連の処理群の内容および順序を表示部１３ｊに表示するとともに該設定の変更指示を受け付ける受付画面を表示部１３ｊに表示する。また、再構成フロー設定部１３ｅが、変更指示を入力部１３ｋにて受け付けると、受け付けた該変更指示を該再構成フローの設定に反映するとともに反映後の再構成フローの設定を表示部１３ｊに表示する。
【００９７】
このようなことから、実施例１に係るＭＲＩ装置１００によれば、再構成フローを視覚的に閲覧、編集できるＧＵＩエディターが実現し、開発者等は、撮像方法によってどのような再構成処理を行っているかを容易に理解できる。また、一部の処理の追加、削除、置換、順序入れ替えなどがドラッグ＆ドロップで容易に行なえる。また、処理の一部のパラメータを変更することもできる。また、処理の途中で再構成処理を停止することもでき、途中の画像を閲覧、保存することもできる。
【実施例２】
【００９８】
［他の実施例］
さて、これまで本発明の実施例について説明したが、本発明は上述した実施例以外にも、種々の異なる形態にて実施されてよいものである。
【００９９】
［実行結果の他の表示例］
実施例１において説明したように、ＭＲＩ装置１００は、再構成フローに含まれる所定の処理が実行される毎に処理の実行結果を実行結果記憶部１３ｉに格納する。このため、実行結果記憶部１３ｉは、処理毎の実行結果を記憶しているので、再構成フロー設定部１３ｅは、実行結果を様々な形で表示部１３ｊに表示することができる。以下では、図１４を用いて、実行結果の他の表示例を説明する。
【０１００】
例えば、ＭＲＩ装置１００の操作者が、新規の撮像手法を開発したり既存の撮像手法を改善したりすることを目的として、再構成フローを変更しようとしているとする。例えば、図１４の（Ａ）に示すように、「Ａ」、「Ｂ」、「Ｃ」、「Ｄ」の順序で行なわれている再構成フローの内、「Ｂ」の処理を「Ｂ２」の処理に変更し、「Ａ」、「Ｂ２」、「Ｃ」、「Ｄ」の順序で行なわれる再構成フローとしたとする。
【０１０１】
従来では、操作者は、実行結果として、変更前の再構成フローに従って実行された再構成処理の最終画像、および変更後の再構成フローに従って実行された再構成処理の最終画像のみを、表示部１３ｊで確認していた。ここで、両最終画像間に大きな差異がみられない場合、「Ｂ」の処理を「Ｂ２」の処理に変更することで画像に何らかの影響があったのか、あるいはなかったのかを操作者は知ることができない。
【０１０２】
これに対し、例えば、ＭＲＩ装置１００は、図１４の（Ｂ）に示すように、実行結果を表示する。すなわち、実行結果記憶部１３ｉは、変更前の再構成フローを実行した実行結果として、「Ａ」処理の実行結果、「Ｂ」処理の実行結果、「Ｃ」処理の実行結果、および「Ｄ」処理の実行結果（最終画像）を記憶している。また、実行結果記憶部１３ｉは、変更前の再構成フローを実行した実行結果として、「Ａ」処理の実行結果、「Ｂ２」処理の実行結果、「Ｃ」処理の実行結果、および「Ｄ」処理の実行結果（最終画像）を記憶している。
【０１０３】
例えば、操作者が、変更前の再構成フローの実行結果と変更後の再構成フローの実行結果との比較を、「Ｂ」処理以降（「Ｂ２」処理以降）について表示するよう指示を入力したとする。すると、再構成処理実行部１３ｈは、図１４の（Ｂ）に示すように、変更前の「Ｂ」処理の実行結果と変更後の「Ｂ２」処理の実行結果とを対比するように、変更前の「Ｃ」処理の実行結果と変更後の「Ｃ」処理の実行結果とを対比するように、変更前の最終画像と変更後の最終画像とを対比するように、表示部１３ｊに表示する。
【０１０４】
すると、操作者は、この表示を見て、「Ｂ」処理の実行結果と「Ｂ２」処理の実行結果との間には大きな差異があるが、「Ｃ」処理の実行結果と「Ｃ」処理の実行結果との間には大きな差異がなく、結局、両最終画像間に大きな差異がみられない（改善がみられない）ことを知る。そして、操作者は、最終画像の改善のためには、「Ｃ」処理の変更がさらに必要であることを容易に判断することができる。
【０１０５】
［再構成フローの共有］
ところで、実施例１に係るＭＲＩ装置のように、本発明によれば、新規の撮像手法の開発や既存の撮像手法の改善が円滑かつ容易に行なわれる結果、撮像手法に対応づけられた再構成フローも多数開発されるようになる。そこで、例えば、ＭＲＩ装置や画像処理装置によって開発された再構成フローが有効活用されるように、再構成フローを共有するシステムを構築してもよい。
【０１０６】
例えば、ＭＲＩ装置や画像処理装置において開発された再構成フローを、外部の開発者等が利用可能なネットワークに接続されたサーバにアップロードする。このアップロードは、再構成フローが開発される度に実施されてもよいし、定期的に実施されてもよい。サーバは、撮影方法と対応づけて再構成フローを記憶する。また、サーバは、単に再構成フローを記憶するだけでなく、デフォルトの設定や開発時の実行結果（処理毎の画像や最終画像など）を併せて記憶してもよい。
【０１０７】
すると、外部の開発者等は、ネットワークを介してサーバにアクセスすることで、サーバに記憶されている再構成フローを閲覧することができる。また、外部の開発者等は、撮影方法と対応づけて再構成フローを閲覧することができ、デフォルトの再構成フローがどれであるのか、あるいは開発時の実行結果なども併せて閲覧することができる。そして、外部の開発者等は、サーバに記憶されたこれらの再構成フローをダウンロードしたり、あるいはダウンロードした再構成フローをさらに編集したりすることができる。
【０１０８】
なお、再構成フロー編集のためのＧＵＩツールもダウンロードできるようにすることで、外部の開発者等は、実施例１と同様の画面でダウンロードした再構成フローを編集することも可能になる。
【０１０９】
［自動後処理］
また、上記の実施例１においては、一連の処理群から成る処理フローとして再構成フローを例に挙げて説明したが、本発明はこれに限られるものではなく、自動後処理フローにも同様に適用することができる。従来、自動後処理に関しては、撮像ごとに作成する画像の種類や転送する画像の種類などが異なり、処理内容を把握することが容易ではなかった。
【０１１０】
これに対し、例えば、本発明に係る自動後処理を行なう画像処理装置（もしくはＭＲＩ装置）においては、操作者が、処理の対象とする処理画像を選択すると、選択された処理画像から、必要な原画像（収集画像）が自動的に選ばれる。すると、画像処理装置は、例えば図１５に示すような自動後処理フロー設定画面をモニタに表示する。
【０１１１】
ここで、操作者は、アイテムリストとして表示されているアイコンをマウスでクリックするなどして選択し、ドラッグ＆ドロップで移動させることで、後処理フローを編集することができる。例えば、「画像強調フィルタ」や「位置補正」などの処理を追加したり削除したりすることができる。また、図１５においては、操作者が、処理の実行結果を記憶部に格納するものとして選択した画像（画像登録する画像の種類）が縁取りの太線で示されている。さらに、操作者は、画像登録する画像と、ＣＤなどの記録媒体やＤＩＣＯＭ（Digital  Imaging  and  Communications  in  Medicine）による転送先とを線で結ぶことで、転送先を指定することができる。
【０１１２】
すると、画像処理装置（もしくはＭＲＩ装置）は、処理を実行する順序と実行結果とに相関がある一連の処理群の該順序が設定された自動後処理フローに従って、原画像の処理を実行し、自動後処理フローに含まれる所定の処理が実行される毎に、該処理の実行結果を記憶部に格納する。すなわち、画像処理装置は、「歪み補正」処理を実行すると、「歪み補正」処理の実行結果を記憶部に格納し、「位置補正」処理を実行すると、「位置補正」処理の実行結果を記憶部に記憶するなどする。
【０１１３】
また、画像処理装置は、所定の処理の実行結果を所定の外部装置に転送することを指示する指示を受け付けると、指示にて指定された処理の実行結果を記憶部から取得し、取得した実行結果を該指示にてＣＤに記録したり、ＰＡＣＳ（Picture  Archiving  and  Communication  System）ネットワークを介して転送先に転送したりする。
【０１１４】
このようなことから、本発明によれば、自動後処理を扱い易くすることが可能になり、また、処理過程を確認することも可能になる。
【０１１５】
［システム構成等］
上記の実施例においては、一連の処理群に含まれる処理全ての実行結果を実行結果記憶部に格納する手法を説明したが、本発明はこれに限られるものではなく、予め一部の処理を指定するなどして、一部の処理の実行結果を実行結果記憶部に格納する手法でもよい。
【０１１６】
また、上記の実施例においては、再再構成処理や自動後処理等の機能がＭＲＩ装置の一部として備えられる事例を説明したが、本発明はこの構成に限られるものではなく、ＰＡＣＳのネットワークを介して接続された画像処理装置に備えられてもよい。この場合には、画像処理装置は、被検体が撮像されたデータを受け付けるデータ受付部と、処理を実行する順序と実行結果とに相関がある一連の処理群の該順序が設定された処理フローに従って、データ受付部によって受付けられたデータの処理を実行する処理実行部と、処理実行部によって処理群に含まれる所定の処理が実行される毎に、該処理の実行結果を記憶部に格納する実行結果格納部と、所定の指示を受け付けると、該指示にて指定された処理の実行結果を記憶部から取得し、取得した実行結果に対して該指示を実行する指示実行部とを備える。
【０１１７】
また、実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１１８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１１９】
以上のように、本発明に係る磁気共鳴イメージング装置および画像処理装置は、被検体が撮像されたデータの処理に有用であり、特に、一連の処理群から成る処理フローを扱い易くすることに適する。
【図面の簡単な説明】
【０１２０】
【図１】実施例１に係るＭＲＩ装置の概要を説明するための図である。
【図２】ＭＲＩ装置の構成を示すブロック図である。
【図３】再構成部の構成を示すブロック図である。
【図４】再構成処理モジュール群記憶部を説明するための図である。
【図５】再構成フロー選択手順を示すフローチャートである。
【図６】再構成フロー選択画面を説明するための図である。
【図７】再構成フロー編集手順を示すフローチャートである。
【図８】再構成フロー編集画面を説明するための図である。
【図９】再構成フロー編集画面を説明するための図である
【図１０】再構成フロー編集画面を説明するための図である。
【図１１】再構成処理実行手順を示すフローチャートである。
【図１２】再構成処理実行画面を説明するための図である。
【図１３】再構成処理実行画面を説明するための図である。
【図１４】再構成処理実行画面を説明するための図である。
【図１５】実施例２に係るＭＲＩ装置の概要を説明するための図である。
【符号の説明】
【０１２１】
１  静磁場磁石
２  傾斜磁場コイル
３  傾斜磁場電源
４  寝台
５  寝台制御部
６  送信ＲＦコイル
７  送信部
８  受信ＲＦコイル
９  受信部
１０  シーケンス制御部
１１  収集制御部
１２  生データ入力部
１３  再構成部
１３ａ  再構成処理モジュール群記憶部
１３ｂ  再構成処理モジュール管理部
１３ｃ  再構成フローリスト記憶部
１３ｄ  再構成フローリスト管理部
１３ｅ  再構成フロー設定部
１３ｆ  イベントジェネレータ
１３ｇ  スケジューラ
１３ｈ  再構成処理実行部
１３ｉ  実行結果記憶部
１３ｊ  表示部
１３ｋ  入力部
１４  生データ記憶部
１００  ＭＲＩ装置
【図１】
2010142286.tif 000003
【図２】
2010142286.tif 000004
【図３】
2010142286.tif 000005
【図４】
2010142286.tif 000006
【図５】
2010142286.tif 000007
【図６】
2010142286.tif 000008
【図７】
2010142286.tif 000009
【図８】
2010142286.tif 000010
【図９】
2010142286.tif 000011
【図１０】
2010142286.tif 000012
【図１１】
2010142286.tif 000013
【図１２】
2010142286.tif 000014
【図１３】
2010142286.tif 000015
【図１４】
2010142286.tif 000016
【図１５】
2010142286.tif 000017